(57)【要約】【課題】  吸収体に切欠き部を設けたことによる利点を保持しながら、吸収体の保形性に優れた吸収性物品を提供する。【解決手段】  液透過性のトップシートと、液不透過性のバックシートと、トップシートと前記バックシートとの間に配置された吸収体と、を備え、吸収体は、前方部と、排尿部と、後方部とに区分され、吸水性繊維及びＳＡＰを含有し、第１の吸収部材と、第１の吸収部材よりも非肌当接面側に設けられた第２の吸収部材と、第１の吸収部材と第２の吸収部材との間に配置された第１の補強シートを少なくとも備え、第１の吸収部材は、前方部から後方部に亘って長手方向に延びる第１のスリットを少なくとも１条有し、第１のスリットは、第１の吸収部材の厚み方向を貫通し、第１の補強シートは、親水性不織布で形成され、第１の吸収部材と第２の吸収部材にホットメルト系接着剤でそれぞれを接合する吸収性物品である。【選択図】  図１
2017029242.tif 000002
【特許請求の範囲】
【請求項１】
吸収性物品であって、
液透過性のトップシートと、
液不透過性のバックシートと、
前記トップシートと前記バックシートとの間に配置された吸収体と、を備え、
前記吸収体は、前方部と、排尿部と、後方部とに区分され、吸水性繊維及びＳＡＰを含有し、第１の吸収部材と、前記第１の吸収部材よりも非肌当接面側に設けられた第２の吸収部材と、前記第１の吸収部材と前記第２の吸収部材との間に配置された第１の補強シートを少なくとも備え、
前記第１の吸収部材は、前方部から後方部に亘って長手方向に延びる第１のスリットを少なくとも１条有し、
前記第１のスリットは、前記第１の吸収部材の厚み方向を貫通し、
前記第１の補強シートは、親水性不織布で形成され、前記第１の吸収部材と前記第２の吸収部材にホットメルト系接着剤でそれぞれを接合することを特徴とする吸収性物品。
【請求項２】
前記第１のスリットは、複数条有し、それぞれが５ｍｍ以上２０ｍｍ以下の幅を有することを特徴とする請求項１に記載の吸収性物品。
【請求項３】
さらに、前記第２の吸収部材が前記第１のスリットと同じ位置に第２のスリットを有し、
前記第２のスリットが前記第２の吸収部材の厚み方向を貫通し、前記第１のスリットよりも狭い幅を有することを特徴とする請求項１または２に記載の吸収性物品。
【請求項４】
さらに、前記吸収体が第１の吸収部材の肌当接面側に第２の補強シートを備え、
前記第２の補強シートが第１の吸収部材をホットメルト系接着剤で接合することを特徴とする請求項１から請求項３のいずれか１項に記載の型吸収性物品。
【請求項５】
少なくとも前記第１の補強シート又は前記第２の補強シートは、サーマルボンド不織布、スパンボンド不織布及びスパンレース不織布からなる群から選ばれる少なくとも一種であり、１５ｇ/ｍ２以上の坪量を有することを特徴とする請求項１から請求項４のいずれか１項に記載の型吸収性物品。
【発明の詳細な説明】
【技術分野】
【０００１】
本発明は、吸収性物品に関する。
【背景技術】
【０００２】
一般的に、テープ止め紙おむつ、パンツ型紙おむつ、尿取りパッド、軽失禁パッド、生理用品等の吸収性物品は、着用者の身体と接触する側に配置された液透過性のトップシート、その反対側に配置された液不透過性のバックシート及びこれらの間に配置された吸収体から構成されている。
【０００３】
吸収体は、通常、フラッフパルプ等の吸水性繊維と高吸水性樹脂（Ｓｕｐｅｒ  ａｂｓｏｒｂｅｎｔ  ｐｏｌｙｍｅｒ、略称：ＳＡＰ）を含有する。吸収体は、例えば、吸収性繊維中にＳＡＰ粒子を分散し、混合物としてシート状やマット状等の形状に成形される。トップシートを通して入ってきた尿や血液等の体液は、吸水性繊維で一時的に保持され、その後、ＳＡＰに吸収・保持される。吸収体の吸収性能としては、体液の吸収速度が速く、かつ液戻り量が少ないことが求められている。したがって、体液を吸収体に迅速に浸透させるために、吸収体にスリット等の切欠き部を設け、吸収性能の向上を図っている。
【０００４】
例えば、特許文献１には、上下２層を備えた吸収体において、吸収体の長手方向の両側部に位置する部分それぞれに、複数本の切れ込みを有し、上層における切れ込みと、下層における切れ込みとが、吸収体の長手方向において、重ならない位置に形成されている吸収性物品が開示されている。
【０００５】
また、特許文献２には、吸収体の表裏面に貫通する第１スリットが吸収体の括れ部分における短手方向中央線の左右両側に延在し、吸収体の表裏面に貫通する一対の第２スリットが、第１スリットから吸収体の側端部に向かって先端側の間隔が狭くなるように、斜めにそれぞれ延在し、第１スリット及び第２スリットによって、吸収体の両側部分に両サイド部がそれぞれ分割されて設けられた吸収性物品が開示されている。
【先行技術文献】
【特許文献】
【０００６】
【特許文献１】特開２０１３−０５２２９０号公報
【特許文献２】特開２０１２−１５２４８２号公報
【０００７】
しかし、吸収体に切欠き部を設けると、吸収体全体の保形性が著しく悪化し、着用する時や着用中に、切欠き部から吸収体が割れたり、裂けたりして、吸収体が損傷し、吸収性の低下が生じていた。また、本来は切欠き部の効果の一つである良好なフィット性が、吸収体の損傷で悪化し、装着感を損ねるという問題もあった。特に、スリット幅が大きくなるほど、この問題は顕著になっていた。
【発明の概要】
【発明が解決しようとする課題】
【０００８】
本発明は、上述の問題に鑑み、吸収体に切欠き部を設けたことによる利点を保持しながら、吸収体の保形性に優れた吸収性物品を提供することを目的とする。
【課題を解決するための手段】
【０００９】
（１）本願発明に係る１つの態様は、吸収性物品であって、液透過性のトップシートと、液不透過性のバックシートと、上記トップシート上記バックシートとの間に配置された吸収体と、を備え、上記吸収体は、前方部と、排尿部と、後方部とに区分され、吸水性繊維及びＳＡＰを含有し、少なくとも第１の吸収部材と、上記第１の吸収部材よりも非肌当接面側に設けられた第２の吸収部材と、上記第１の吸収部材と上記第２の吸収部材との間に配置された第１の補強シートと、を備え、上記第１の吸収部材は、前方部から後方部に亘って長手方向に延びる第１のスリットを少なくとも１条有し、上記第１のスリットは、上記第１の吸収部材の表面から裏面まで貫通し、上記第１の補強シートは、親水性不織布で形成され、上記第１の吸収部材と上記第２の吸収部材にホットメルト系接着剤でそれぞれを接合することを特徴とする。
（２）上記（１）記載の吸収性物品であって、上記第１のスリットは、複数条有し、それぞれが５ｍｍ以上２０ｍｍ以下の幅を有してもよい。
（３）上記（１）または（２）記載の吸収性物品であって、さらに、前記第２の吸収部材が前記第１のスリットと同じ位置に第２のスリットを有し、
前記第２のスリットが前記第２の吸収部材の表面から裏面まで貫通し、前記第１のスリットよりも狭い幅を有してもよい。
（４）上記（１）から（３）のいずれか１項に記載の吸収性物品であって、さらに、上記吸収体が上記第１の吸収部材の肌当接面側に第２の補強シートを備え、上記第２の補強シートが第１の吸収部材をホットメルト系接着剤で接合してもよい。
（５）上記（１）から（４）のいずれか１項に記載の吸収性物品であって、少なくとも上記第１の補強シート又は前記第２の補強シートは、サーマルボンド不織布、スパンボンド不織布及びスパンレース不織布からなる群から選ばれる少なくとも一種であり、１５ｇ/ｍ２以上の坪量を有してもよい。
【発明の効果】
【００１０】
本発明によれば、吸収体に切欠き部を設けたことによる利点を保持しながら、吸収体の保形性に優れた吸収性物品を提供することができる。
【図面の簡単な説明】
【００１１】
【図１】本実施形態に係る吸収性物品をトップシート側から見た展開図である。
【図２】図１のＡ−Ａ線における吸収性物品の略示断面図である。
【図３】図１のＡ−Ａ線における他の実施形態に係る吸収性物品の略示断面図である。
【発明を実施するための形態】
【００１２】
図１から図３を参照して、本発明の実施形態にかかる吸収性物品について詳細に説明する。なお、実施形態の説明は、全体を通して同じ要素には同じ番号を付している。本明細書の説明において、吸収性物品１の着用時とは、吸収性物品１の着用時及び着用後の少なくとも一方をいう。吸収性物品１の長手方向とは、吸収性物品１が着用されたときに着用者の前後にわたる方向であり、図中、符号Ｙで示す方向である。また、吸収性物品の短手方向とは、長手方向に対して横又は直交する方向であり、図中、符号Ｘで示す方向である。さらに、肌当接面とは、吸収体２３等の各部材の表裏両面のうち、着用時に着用者の肌側に配される面であり、非肌当接面とは、吸収体２３等の各部材の表裏両面のうち、着用時に着用者の肌側とは反対側に向けられる面である。体液とは、尿、血液や軟便中の水分等の体内から体外に排出された液体をいう。さらに、吸収性物品１としては、幼児又は成人用を問わず、テープ止めタイプの使い捨ておむつ、パンツタイプの使い捨ておむつ、尿取りパッド、軽失禁パッド、生理用品等であってもよい。
【００１３】
図１は、本実施形態に係る吸収性物品をトップシート側から見た展開図である。吸収性物品１は、肌当接面側に配された液透過性のトップシート２１と、トップシート２１に対向して配置された液不透過性のバックシート２２と、トップシート２１とバックシート２２との間に少なくとも１層配置された吸収体２３と、を備えている。
【００１４】
また、吸収性物品１には、使用者の排泄した体液の横漏れを防止するため、吸収性物品１の長手方向に沿って、トップシート２１上に、立体ギャザー用弾性部材２４ａを有する一対の立体ギャザー２４を備えていてもよい。吸収性物品１の短手方向における立体ギャザー２４の外端は、バックシート２２に固定され、その内端はトップシート２１に固着され、その中央はトップシート２１に固定されない自由端となるように、立体ギャザーシート２４ｂが配される。立体ギャザー用弾性部材２４ａを長手方向に沿って設けることで、起立性を有し、着用者の体型に合わせて変形可能となるように設けられる。立体ギャザー用弾性部材２４ａとしては、例えば、ポリウレタン糸、帯状のポリウレタンフィルム、糸状または帯状の天然ゴム等が使用され、立体ギャザーシート２４ｂとしては、疎水性繊維にて形成された撥水性または不透液性の不織布、例えば、スパンボンド不織布やメルトブロー不織布、スパンボンド／メルトブロー／スパンボンドを積層した複合不織布等が使用される。
【００１５】
（トップシート）
トップシート２１は、体液が吸収体へと移動するような液透過性を備えた基材を用いればよく、例えば、サーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２１は、液透過性を向上させるために、表面にエンボス加工や穿孔加工を施してもよい。その加工方法は、公知の方法を制限なく行うことができる。また、肌への刺激を低減させるために、トップシート２１に、ローション、酸化防止剤、抗炎症成分、ｐＨ調整剤、抗菌剤、保湿剤等を含有させてもよい。さらに、強度および加工性の点から、トップシート２１の坪量は、１５ｇ／ｍ２以上４０ｇ／ｍ２以下であることが好ましい。トップシート２１の形状としては、特に制限はないが、体液を漏れがないように吸収体へと誘導するため、吸収体を覆う形状であればよい。
【００１６】
（バックシート）
バックシート２２は、吸収体が保持している体液が下着に漏れないような液不透過性を備えた基材を用いればよく、不織布、樹脂フィルム、あるいはこれらを積層した複合シートといった材料から形成される。かかる不織布は、製法を特に限定せず、例えば、スパンボンドやメルトブロー不織布、あるいは、スパンボンド／メルトブロー、スパンボンド／メルトブローン／スパンボンドを積層した複合不織布及びこれらの複合材料があげられる。また、かかる樹脂フィルムとしては、例えば、ポリエステル、ポリビニルアルコール、ポリエチレン、ポリプロピレン、ポリエチレンとポリプロピレンの複合フィルム等があげられる。
【００１７】
強度及び加工性の点から、バックシート２２の坪量は、１５ｇ／ｍ２以上４０ｇ／ｍ２以下であることが好ましい。また、装着時の蒸れを防止するため、バックシート２２は、通気性を持たせることが好ましい。通気性を備えさせるために、例えば、基材の樹脂フィルムにフィラーを配合することや、バックシート２２にエンボス加工を施すことがあげられる。フィラーとしては、炭酸カルシウムをあげることができ、その加工方法は、公知の方法を制限なく行うことができる。
【００１８】
（吸収体）
図２は、図１のＡ−Ａ線における吸収性物品の略示断面図である。吸収体２３は、トップシート２１とバックシート２２との間に配置され、前方部３１と、後方部３３と、前方部３１と後方部３３との間に配置される排尿部３２とに区分される。ここで、「排尿部」とは、着用時に身体の股下に存在する排尿領域と対応させる部分を意味するものである。また、「前方部」とは、「排尿部」よりも前方、すなわち着用者の腹側の方向にある部分を意味するものであり、「後方部」とは、「排尿部」よりも後方、すなわち着用者の背側の方向にある部分を意味するものである。また、吸収体２３は、図２に示すように、第１の吸収部材４１と、第１の吸収部材４１よりも非肌当接面側に設けられた第２の吸収部材４２と、第１の吸収部材４１と第２の吸収部材４２との間に配置された第１の補強シート４５と、を少なくとも備えている。
【００１９】
第１の吸収部材４１には、図１に示すように、前方部３１から後方部３３に亘って長手方向に延びる第１のスリット４３を少なくとも１条有している。この第１のスリット４３は、第１の吸収部材４１の厚み方向を貫通しており、トップシート２１から第１の吸収部材４１に到達した体液が第１のスリット４３を経由して迅速に第２の吸収部材４２に流れ込むことができる。また、第１の吸収部材４１には、第１のスリット４３が複数条形成されてもよく、３条以上が好ましい。また、後述するように、第１の補強シート４５が第１の吸収部材４１と第２の吸収部材４２の間に配置され、ホットメルト系接着剤によりそれぞれを接合し、スリットによる吸収体の損傷が防止される。このため、第１のスリット４３の幅は、一般的なものと比較して幅広く形成することができ、例えば、第１のスリット４３を一条形成する場合、その幅は、５ｍｍ以上３０ｍｍ以下であってもよい。さらに、複数条形成する場合、第１のスリット４３それぞれの幅が５ｍｍ以上２０ｍｍ以下であってもよい。第１のスリット４３は、少なくとも１条形成されていれば、形状、条数及び短手方向の位置に特に限定はない。なかでも、第１のスリット４３が互いに平行で、かつ短手方向に一定の間隔で矩形の形状に形成されていることが好ましく、例えば、３本形成する場合、その間隔は、１０ｍｍ以上５０ｍｍ以下であってもよい。
【００２０】
図３は、図１のＡ−Ａ線における他の実施形態に係る吸収性物品の略示断面図である。第２の吸収部材４２には、図３に示すように、さらに、第１のスリット４３と同じ位置に第２のスリット４４を有し、この第２のスリット４４は、第２の吸収部材４２の厚み方向を貫通し、第２のスリットの幅４４Ｌは、第１のスリットの幅４３Ｌよりも狭い幅を有してもよい。第２のスリット４４を形成することにより、第１のスリットから移動してきた体液が、この第２のスリット４４を経由して第２の吸収部材４２の前後方向に拡散され、第２の吸収部材４２全体を利用することができる。さらに、第１のスリット４３と同じ位置以外にも第２のスリット４４を形成してもよい。第２のスリットの幅４４Ｌは、第１のスリット４３が１条形成される場合、３ｍｍ以上２５ｍｍ以下であってもよい。さらに、第１のスリット４３が複数条形成される場合、第２のスリット４４それぞれの幅が３ｍｍ以上２５ｍｍ以下であってもよい。
【００２１】
吸収体２３は、基材としての吸収性繊維と、高吸収性樹脂（ＳＡＰ）と、を含有する。吸収性繊維は、一般に生理用ナプキンやおむつ、尿パッド等の吸収性物品に使用されるものであれば特に制限はなく、例えば、フラッフパルプ、コットン、レーヨン、アセテート、ティシュ、吸収紙、親水性不織布といったものから形成される。この中で、吸収性の観点から、フラッフパルプが好ましい。かかるフラッフパルプとしては、木材パルプ及び合成繊維、ポリマー繊維等や非木材パルプを綿状に解繊したものをあげることができる。第１の吸収部材４１の吸収性繊維は、吸収性能及び肌触りを損なわないよう、１００ｇ／ｍ２以上８００ｇ／ｍ２以下の坪量とすることが好ましい。また、第２の吸収部材４２の吸収性繊維は、吸収性能及び薄さを損なわないよう、１００ｇ／ｍ２以上８００ｇ／ｍ２以下の坪量とすることが好ましい。
【００２２】
また、吸収体２３のＳＡＰは、体液を吸収し、かつ、逆流を防止できるものであれば特に制限はなく、例えば、ポリアクリル酸ナトリウム系、ポリアスパラギン酸塩系、(デンプン−アクリル酸)グラフト共重合体、（アクリル酸−ビニルアルコール)共重合体、 (イソブチレン−無水マレイン酸)共重合体及びそのケン化物、といった材料から形成される。この中で、重量当たりの吸収量の観点から、ポリアクリル酸ナトリウム系が好ましい。第１の吸収部材４１のＳＡＰ量は、吸収性能及び肌触りを損なわないよう、５０ｇ／ｍ２以上５００ｇ／ｍ２以下の坪量とすることが好ましい。また、第２の吸収部材４２のＳＡＰ量は、吸収性能を損なわないよう、５０ｇ／ｍ２以上５００ｇ／ｍ２以下の坪量とすることが好ましい。
【００２３】
吸収体２３の吸収性繊維とＳＡＰは、吸収性繊維中にＳＡＰ粒子を混合して形成したもの、あるいは、吸収性繊維間にＳＡＰ粒子を固着したＳＡＰシートとすることが好ましい。また、ＳＡＰ粒子の漏洩防止や吸収体２３の形状を安定させるために、吸収体２３をキャリアシートに包むことが好ましい。キャリアシートの基材としては、親水性を有するものであればよく、ティシュ、吸収紙、エアレイド不織布等の親水性不織布をあげることができる。キャリアシートを複数備える場合は、キャリアシートの基材は同一のものであっても異なるものであってもよい。
【００２４】
第１の吸収部材４１と第２の吸収部材４２の形状は特に限定はないが、着用者の体液排出部に吸収体２３をより良好に密着させつつ、優れた着用感を供するために、吸収性物品１の短手方向において、第１の吸収部材４１の長さは、第２の吸収部材４２の長さよりも長く設けられていることが好ましい。
【００２５】
第１の補強シート４５は、第１の吸収部材４１と第２の吸収部材４２との間に配置され、ホットメルト系接着剤でそれぞれと接合している。第１の補強シート４５は、第１の吸収部材４１と第２の吸収部材４２を接合することで、着用する時や着用中の着用者の動作に起因する、吸収体２３が割れたり、裂けたりして、吸収体２３が損傷し、吸収性の悪化を抑制する。また、図３に示すように、さらに、吸収体２３が第１の吸収部材４１の肌当接面側に第２の補強シート４６を備え、この第２の補強シート４６が第１の吸収部材４１とホットメルト系接着剤で接合してもよい。この構成を取ることにより、第１のスリット４３を形成した第１の吸収部材４１が着用時や着用中に割れたり、裂けたり、よれたりしたことによる吸収体の損傷を一層防止することができる。第１の補強シート４５又は第２の補強シート４６は、第１の吸収部材４１から第２の吸収部材４２へスムーズに体液が移動するような親水性不織布で形成されていれば、その基材に特に限定はないが、強度とコストの観点から、少なくとも第１の補強シート４５又は第２の補強シート４６は、サーマルボンド不織布、スパンボンド不織布及びスパンレース不織布からなる群から選ばれる少なくとも一種であり、１５ｇ/ｍ２以上の坪量を有することが好ましい。また、ホットメルト系接着剤としては、融点が１００℃以上１８０℃以下程度であって、スチレンーブタジエン−スチレン系共重合体、スチレン−イソプレン−スチレン系共重合体等の合成ゴム系；又はエチレン−酢酸ビニル共重合体等のオレフィン系のホットメルト系接着剤を使用できる。ホットメルト系接着剤の塗工方法は、特に限定されるものではないが、強度と透水性の観点から、スパイラル方式を採用すること好ましい。第１の補強シート４５の大きさ及び形状は、吸収体２３の損傷を効果的に防止するために、第２の吸収部材４２をくまなく覆うことができるものが好ましく、第２の補強シート４６の大きさ及び形状は、第１の吸収部材４１の損傷を効果的に防止するために、第１の吸収部材４１をくまなく覆うことができるものが好ましい。
【００２６】
吸収性物品１の製造方法は、周知の方法を採用することができ、例えば、（ｉ）第１の吸収部材４１と第２の吸収部材４２として、それぞれ吸収性繊維をＳＡＰとともに積繊して吸収体マットを作成し、その後、第１の吸収部材４１、ホットメルト系接着剤を両面に塗布した第１の補強シート４５、第２の吸収部材４２の順で積層し、プレスすることで固定し、吸収体２３を形成する工程、（ｉｉ）トップシート２１と立体ギャザー２４をホットメルト系接着剤で固定・一体化する工程、（ｉｉｉ）トップシート２１、立体ギャザー２４及びバックシート２２の内側にホットメルト系接着剤を塗工する工程、（ｉｖ）集合ドラムにおいて、吸収体２３の上部にトップシート２１を、吸収体２３の下部にバックシート２２を配置し、各構成部材を固定・一体化する工程、（ｖ）吸収性物品１の半製品をカッター装置により製品寸法でカットし、個々の吸収性物品１を切り離す工程、があげられる。
【実施例】
【００２７】
以下、実施例及び比較例をあげて、本発明を具体的に説明するが、本発明は、これら実施例により限定されるものではない。
【００２８】
＜実施例１＞
（吸収体の作製）
第１の吸収部材として、まず、パルプシートを粉砕して解繊したフラッフパルプ２０ｇと、ＳＡＰ８ｇとをともに積繊した吸収体マットを準備し、長さ５４０ｍｍ、幅２６０ｍｍにカットしたものを用意した。次に、カットした吸収体マットに、図１に示す、第１のスリット（長さ２５０ｍｍ、幅１５ｍｍ）を３条、第１の吸収部材の厚み方向を貫通するよう形成した。また、第２の吸収部材として、第１の吸収部材と同様に、フラッフパルプ１５ｇをＳＡＰ６ｇとともに積繊した吸収体マットを準備し、長さ５４０ｍｍ、幅１８０ｍｍにカットしたものを用意した。補強シートとして、長さ５４０ｍｍ、幅１８０ｍｍのスパンボンド不織布（坪量２２ｇ／ｍ２）を用い、ホットメルト系接着剤を両面に塗布して、第１の吸収部材、補強シート、第２の吸収部材の順で積層し、プレスすることで吸収体を得た。
【００２９】
（吸収性物品の作製）
得られた吸収体を用いて、長さ６３０ｍｍ、幅３２０ｍｍの尿取りパッドを作製し、実施例１のサンプルとした。なお、トップシートとしては、エアースルー不織布（坪量２２ｇ／ｍ２）を用い、バックシートとしては、通気性ポリエチレンフィルム（坪量３５ｇ／ｍ２）を用いた。得られた尿取りパッドの吸収速度、液戻り量、拡散性及び保形性を測定・評価した。得られた結果を表１に示す。
【００３０】
＜実施例２＞
実施例１において、第２の吸収部材に代えて、第２の吸収部材に第２のスリット（長さ２５０ｍｍ、幅８ｍｍ）を第１のスリットと同じ位置に３条、第２の吸収部材の厚み方向を貫通するよう形成したものを用いた以外は、実施例１と同様にして尿取りパッドを作製し、実施例２のサンプルとした。得られた尿取りパッドの吸収速度、液戻り量、拡散性及び保形性を測定・評価した。得られた結果を表１に示す。
【００３１】
＜比較例１、２＞
実施例１において、吸収体に代えて、補強シートを使用せず、第１の吸収部材と第２の吸収部材を積層したものを用いた以外は、実施例１と同様にして尿取りパッド作製し、比較例１のサンプルとした。また、実施例２において、吸収体に代えて、補強シートを使用せず、第１の吸収部材と第２の吸収部材を積層したものを用いた以外は、実施例２と同様にして尿取りパッド作製し、比較例２のサンプルとした。得られた尿取りパッドの吸収速度、液戻り量、拡散性及び保形性を測定・評価した。得られた結果を表１に示す。
【００３２】
（吸収速度）
外径８０ｍｍの円柱の中央に内径３０ｍｍの穴が開いており、重さ２ｋｇとした測定冶具を、トップシートを上に向けた状態で、尿取りパッドの長手方向、かつ短手方向の中央部の上に置き、上部の穴から生理食塩水１５０ｍｌを投下し、生理食塩水が尿取りパッドに接触した時点から、測定治具中央円内の円周に生理食塩水が完全に吸い込まれるまでを終点として時間を計測し、吸収速度とした。
【００３３】
（液戻り量）
トップシートを上に向けた状態で、生理食塩水９００ｍｌを吸収体の中心部に向かって注水し、１０分間放置した後、生理食塩水の吸収部位に、あらかじめ重量を測定したろ紙（ＡＤＶＡＮＴＥＣ社製  Ｎｏ．２  ろ紙、直径５５ｍｍ）を置き、その上に３５ｋｇｆ／ｃｍ２の錘を乗せ、１分経過後、ろ紙の重量を測り、ろ紙の重量差を液戻り量とした。
【００３４】
（拡散性）
トップシートを上に向けた状態で、生理食塩水６００ｍｌを吸収体の中心部に向かって注水し、１分間放置した後、吸収部位から長手方向に広がった生理食塩水の端点までの距離を計測し、拡散性を評価した。
【００３５】
（保形性）
トップシートを上に向けた状態で、生理食塩水６００ｍｌを吸収体の中心部に向かって注水し、１分間放置した後、重さ７ｋｇの金属製ロールを吸収体の長手方向に１０往復させ、吸収体の型崩れの有無を確認した。
【００３６】
【表１】
2017029242.tif 000003
【００３７】
表１に示すように、実施例１及び２は、補強シートにより第１の吸収部材と第２の吸収部材にホットメルト系接着剤でそれぞれ接合されていたため、吸収速度、液戻り量、拡散性及び保形性に良好な結果を示した。特に、実施例２は、第２の吸収部材が第１のスリットと同じ位置に第２のスリットを有し、この第２のスリットは、第２の吸収部材の厚み方向を貫通し、第１のスリットよりも狭い幅を有する構成をとったため、吸収速度、液戻り量、拡散性に優れていた。一方、補強シートのない比較例１及び２は、吸収速度、液戻り量、拡散性に劣り、吸収体は型崩れを起こしていた。
【００３８】
以上、実施形態を用いて本発明を説明したが、本発明の技術的範囲は上記の実施形態に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３９】
１    吸収性物品
２１    トップシート
２２    バックシート
２３    吸収体
２４    立体ギャザー
２４ａ  立体ギャザー用弾性部材
２４ｂ  立体ギャザーシート
３１    前方部
３２    排尿部
３３    後方部
４１    第１の吸収部材
４２    第２の吸収部材
４３    第１のスリット
４４    第２のスリット
４５    第１の補強シート
４６    第２の補強シート
【図１】
2017029242.tif 000004
【図２】
2017029242.tif 000005
【図３】
2017029242.tif 000006